(57)【特許請求の範囲】
【請求項１】
車両用小便器又は手洗器の下部排出口に接続した汚水配管内に移動自在に設けた、水よりも浮力のある球状のボールと、上記排出口を塞ぐ、上記ボールの直径よりも小さい穴を有する蓋と、上記ボールが上記汚水配管の下端に設けた汚水タンク内に落下するのを防止するための落下防止手段とよりなり、
上記落下防止手段は、上記汚水配管内の上記蓋の下面に設けた、上記ボールを上下動自在に挿入せしめる、上記汚水配管の内径よりも小さい外径の筒状本体と、この筒状本体の上端周側面に設けた、上記蓋の下面と上記排出口の上端との間で挟持して固定される鍔部と、上記筒状本体の下端に設けた、上記ボールの直径より小さい穴部を有する蓋部と、上記筒状本体の側面に設けた複数の開口部とよりなり、
上記汚水タンク内の汚水が上記汚水配管内に上がってこない場合には、上記ボールは上記筒状本体の下端に位置し、上記小便器や手洗器からの水が上記開口部を通って、上記汚水配管内に流れ、
上記汚水タンク内の汚水が上記下部排出口まで上記汚水配管を伝わって上昇してきたときは、上記ボールが浮力により上昇して上記蓋の穴を塞ぎ、上記汚水が上記小便器又は手洗器内に噴き上げないことを特徴とする車両用小便器又は手洗器内への汚水噴き上げ防止装置。
【請求項２】
上記ボール及び落下防止手段はポリテトラフルオロエチレン製であることを特徴とする請求項１記載の車両用小便器又は手洗器内への汚水噴き上げ防止装置。
【発明の詳細な説明】
【技術分野】
【０００１】
本発明は、車両内に設置した小便器又は手洗器内に、上記小便器等に接続した汚水配管からの汚水の噴き上げを防止する装置に関するものである。
【背景技術】
【０００２】
図３は、例えば鉄道車両に搭載された汚物処理装置を示し、上記汚物処理装置においては、車両内に洋式便器１や手洗器又は小便器２が設置され、そこからの排泄物をためる汚物タンク３が床下に設置され、また、上記洋式便器（大便器）１と上記汚水タンク３とは排出弁４、移送タンク５及び移送弁６を介して汚水配管７により接続され、上記小便器２と上記汚水タンク３とは汚水配管８により接続されている。
【０００３】
また、上記汚水タンク３及び上記汚水配管８にはそれぞれ排気管９及び脱臭フィルタ１０が設けられている。
【発明の概要】
【発明が解決しようとする課題】
【０００４】
しかしながら、上記小便器２の排出口と上記汚水配管８とは連通しているため、車両が高速で走行することによる外圧や、大便器からの排水圧力が、小便器２に接続された汚水配管８にかかり、汚水タンク３内の汚水が上記汚水配管８を伝わって小便器２内に噴き上げてしまうことがあるという欠点があった。
【０００５】
本発明は上記の欠点を無くしたものである。
【課題を解決するための手段】
【０００６】
本発明の車両用小便器又は手洗器内への汚水噴き上げ防止装置は、車両用小便器又は手洗器の下部排出口に接続した汚水配管内に移動自在に設けた、水よりも浮力のある球状のボールと、上記排出口を塞ぐ、上記ボールの直径よりも小さい穴を有する蓋と、上記ボールが上記汚水配管の下端に設けた汚水タンク内に落下するのを防止するための落下防止手段とよりなり、上記落下防止手段は、上記汚水配管内の上記蓋の下面に設けた、上記ボールを上下動自在に挿入せしめる、上記汚水配管の内径よりも小さい外径の筒状本体と、この筒状本体の上端周側面に設けた、上記蓋の下面と上記排出口の上端との間で挟持して固定される鍔部と、上記筒状本体の下端に設けた、上記ボールの直径より小さい穴部を有する蓋部と、上記筒状本体の側面に設けた複数の開口部とよりなり、上記汚水タンク内の汚水が上記汚水配管内に上がってこない場合には、上記ボールは上記筒状本体の下端に位置し、上記小便器や手洗器からの水が上記開口部を通って、上記汚水配管内に流れ、上記汚水タンク内の汚水が上記下部排出口まで上記汚水配管を伝わって上昇してきたときは、上記ボールが浮力により上昇して上記蓋の穴を塞ぎ、上記汚水が上記小便器又は手洗器内に噴き上げないことを特徴とする。
【０００８】
また、上記ボール及び落下防止手段はポリテトラフルオロエチレン製であることを特徴とする。
【発明の効果】
【０００９】
本発明によれば、車両が高速で走行することによる外圧や、大便器からの排水圧力が、小便器又は手洗器に接続された汚水配管にかかっても、汚水タンク内の汚水が小便器内又は手洗器内に噴き上げてしまうことがないという大きな利益がある。
【００１０】
また、上記ボール及び落下防止手段をポリテトラフルオロエチレン製としたので、排水による尿石、水垢等を付着させない。
【図面の簡単な説明】
【００１１】
【図１】図１は本発明の車両用小便器又は手洗器内への汚水噴き上げ防止装置の縦断斜視図である。
【図２】図２は本発明の車両用小便器又は手洗器内への汚水噴き上げ防止装置の分解斜視図である。
【図３】図３は汚物処理装置の概略図である。
【発明を実施するための形態】
【００１２】
以下、図面によって本発明の実施例を説明する。
【実施例１】
【００１３】
本発明の車両用小便器又は手洗器内への汚水噴き上げ防止装置は、図１及び図２に示すように、手洗器又は小便器２の本体１１の下部排出口１２に接続した汚水配管８内に上下動自在に挿入せしめた、ポリテトラフルオロエチレン（ＰＴＦＥ）製の、汚水よりも浮力のある中空の球状の逆止弁ボール１３と、上記排出口１２を塞ぐ、その中央に上記ボールの直径よりも小さい円形の排水穴１４を有するゴム製の蓋１５と、上記ボール１３が上記汚水配管８内を落下して上記汚水配管８の下端に設けた汚水タンク３内に落下するのを防止するため、上記下部排出口１２又は上記汚水配管８内に設けた、ＰＴＦＥ製の落下防止手段１６とよりなり、上記落下防止手段１６は、その直径が上記ボール１３の直径と略等しい、上記ボール１３を上下動自在に挿入せしめる、上記汚水配管の内径よりも小さい外径の筒状本体１７と、上記筒状本体１７の上端周側面に設けた、上記蓋１５の下面と上記排出口１２の上端との間で挟持して固定せしめるための鍔部１８と、上記筒状本体１７の下端に設けた、その中央に上記ボールの直径よりも小さい円形の穴１９を有する蓋部２０と、上記筒状本体１７の側面に設けた複数の排水用開口部２１とよりなる。
【００１４】
なお、２２は上記排出口に設けた目皿である。
【００１５】
本発明の車両用小便器又は手洗器内への汚水噴き上げ防止装置は上記のような構成であるから、車両の高速走行による外圧や大便所からの排水圧力がなく、上記汚水タンク３内の汚水が上記汚水配管８内に上がってこない場合には、上記ボール１３は上記筒状本体１７の下端に位置し、この状態では、上記手洗器や小便器２からの水が下部排水口１２に流れると、上記水は上記蓋１５の排水穴１４、上記筒状本体１７の排水開口部２１を通って、上記汚水配管８内を下方に流れ、上記汚水配管８の下端に設けた汚水タンク３に流れるようになる。
【００１６】
また、車両の高速走行による外圧や、大便所からの排水圧力がかかり、上記汚水タンク３内の汚水が上記汚水配管８内上部まで上がってくると、上記ボールは上記汚水の浮力により上昇し、更にボール１３が上昇すれば、ゴム製の上記蓋１５の排水穴１４を上記ボール１３が押圧して塞ぐから、上記汚水が上記手洗器又は小便器２内に噴き上げるという事はない。
【００１７】
本発明によれば、車両が高速で走行することによる外圧や、大便器からの排水圧力が、小便器２に接続された汚水配管８にかかっても、上記汚水タンク３内の汚水が小便器２内に噴き上げてしまうことがないという大きな利益がある。
【００１８】
また、上記ボール１３及び落下防止手段１６をポリテトラフルオロエチレン製としたので、排水による尿石、水垢等を付着させない。
【符号の説明】
【００１９】
１  洋式便器
２  小便器
３  汚水タンク
４  排出弁
５  移送タンク
６  移送弁
７  汚水配管
８  汚水配管
９  排気管
１０  脱臭フィルタ
１１  本体
１２  下部排出口
１３  逆止弁ボール
１４  排水穴
１５  蓋
１６  落下防止手段
１７  筒状本体
１８  鍔部
１９  穴
２０  蓋部
２１  排水用開口部
２２  目皿
【図１】
0005508653.tif 000002
【図２】
0005508653.tif 000003
【図３】
0005508653.tif 000004